(57)【要約】【課題】白色ＬＥＤを使用した場合に、色むらを軽減できる照明器具を提供する。【解決手段】第１白色ＬＥＤ１１と、第１白色ＬＥＤ１１を支持する第１基台１２と、第１基台１２から第１白色ＬＥＤ１１の照射光における照射方向に突設された第２基台１３と、第２基台１３に設けられた第２白色ＬＥＤ１４とを備えている。第２白色ＬＥＤ１４における照射光の光軸は、第１白色ＬＥＤ１１における照射光の光軸と交差する。【選択図】図１
2012150917.tif 000002
【特許請求の範囲】
【請求項１】
第１の光源と、
前記第１の光源を支持する第１の基台と、
前記第１の基台から前記第１の光源における光の照射方向に突設された第２の基台と、
前記第２の基台に設けられた第２の光源とを備え、
前記第２の光源における照射光の光軸は、前記第１の光源における照射光の光軸と交差する照明器具。
【請求項２】
請求項１に記載の照明器具において、
前記第１の光源、および前記第２の光源は、それぞれ複数個設けられている照明器具。
【請求項３】
請求項１または請求項２に記載の照明器具において、
前記第２の基台は多角柱状に形成され、前記多角柱における各外側面に、それぞれ前記第２の光源が設けられている照明器具。
【請求項４】
請求項１または請求項２に記載の照明器具において、
前記第２の基台は、内側面間の幅が、前記第１の基台から前記第１の光源における光の照射方向に向かって徐々に大となる四角柱状に形成され、前記四角柱の各内側面に、それぞれ前記第２の光源が設けられ、前記四角柱の内天面を形成する前記第１の基台に、前記第１の光源が設けられている照明器具。
【発明の詳細な説明】
【技術分野】
【０００１】
本発明は、照明器具に関する。
【背景技術】
【０００２】
従来、ベースライト、シーリング、ダウンライト等のように大きな光束を必要とする場合に好適な照明器具として、複数の白色ＬＥＤが基板上に配設されたＬＥＤ照明器具が提案されている（例えば、特許文献１参照）。
【０００３】
図７に示すように、特許文献１のようなＬＥＤ照明器具１００は、青色ＬＥＤ（Light Emitting Diode）＋ＹＡＧ蛍光体等の青色ＬＥＤチップ１０１を有する。また、従来のＬＥＤ照明器具１００は、青色ＬＥＤチップ１０１から発光される青色光を、黄色光に変換する蛍光体層１０２を有するのが一般的である。
【先行技術文献】
【特許文献】
【０００４】
【特許文献１】特開２００７−１５７３５４号公報（請求項１、段落００１８、００１９、図３）
【発明の概要】
【発明が解決しようとする課題】
【０００５】
しかしながら、従来のＬＥＤ照明器具１００においては、図８に示すように、白色ＬＥＤの照射光における光軸方向の光は青味のある白色となり、光軸に対する角度が大きくなる方向の光ほど、黄色味のある白色となるという問題があった。
【０００６】
このような色むらは、図７の蛍光体層１０２における光路に起因しており、程度の差はあるが、白色ＬＥＤにおいては必ず発生する。
【０００７】
そのため、従来のＬＥＤ照明器具においては、オフィス等の空間を照明する場合、壁面が黄色味のある白色となり、床面が青味のある白色となってしまう等の色むらが発生し、利用者に違和感を与える虞があった。
【０００８】
本発明は、白色ＬＥＤを使用しても、照射方向による色むらを軽減できる照明器具を提供することにある。
【課題を解決するための手段】
【０００９】
本発明は、第１の光源と、前記第１の光源を支持する第１の基台と、前記第１の基台から前記第１の光源における光の照射方向に突設された第２の基台と、前記第２の基台に設けられた第２の光源とを備え、前記第２の光源における照射光の光軸は、前記第１の光源における照射光の光軸と交差する。
【００１０】
ここで、本発明は、前記第１の光源、および前記第２の光源は、それぞれ複数個設けられている。
【００１１】
また、本発明は、前記第２の基台は多角柱状に形成され、前記多角柱における各外側面に、それぞれ前記第２の光源が設けられている。
【００１２】
また、本発明は、前記第２の基台は、内側面間の幅が、前記第１の基台から前記第１の光源における光の照射方向に向かって徐々に大となる四角柱状に形成され、前記四角柱の各内側面に、それぞれ前記第２の光源が設けられ、前記四角柱の内天面を形成する前記第１の基台に、前記第１の光源が設けられている。
【発明の効果】
【００１３】
本発明によれば、第１の光源における照射光の光軸と、第２の光源における照射光の光軸とが交差する。これにより、第１の光源における照射光の色と、第２の光源における照射光の色とが混色され、第１の光源および第２の光源における照射光の照射範囲全域において白色となり、色むらを軽減できる照明器具を提供できる。
【図面の簡単な説明】
【００１４】
【図１】本発明に係る第１実施形態の照明器具を示す断面図
【図２】図１のＡ矢視図
【図３】本発明に係る第１実施形態の照明器具の作用を説明する図
【図４】本発明に係る第２実施形態の照明器具を示す正面図
【図５】本発明に係る第３実施形態の照明器具を示す正面図
【図６】本発明に係る第３実施形態の照明器具の作用を説明する図
【図７】従来例に係る白色ＬＥＤの照明光における色味の強度分布を示す図
【図８】従来例に係る白色ＬＥＤによって床面および壁面を照明した場合における照明光の色を説明する図
【発明を実施するための形態】
【００１５】
以下、本発明に係る実施形態の照明器具について、図面を参照して説明する。
（第１実施形態）
図１は、本発明に係る第１実施形態の照明器具１０を示す。この照明器具１０は、第１白色ＬＥＤ（光源）１１と、第１白色ＬＥＤ１１を支持する第１基台１２と、第１基台１２から第１白色ＬＥＤ１１における照射光の照射方向、本実施形態では光軸方向に突設された第２基台１３とを備えている。
【００１６】
また、この照明器具１０は、第２基台１３に設けられた第２白色ＬＥＤ（光源）１４を有している。第２白色ＬＥＤ１４における照射光の光軸は、第１白色ＬＥＤ１１における照射光の光軸と交差している。
なお、第２基台１３は、第１白色ＬＥＤ１１の光の照射方向であれば、光軸方向以外の方向に突設してもよい。
【００１７】
図２に示すように、第１白色ＬＥＤ１１、第１基台１２、第２基台１３、および第２白色ＬＥＤ１４は、筐体１５に収容されている。この筐体１５の内部は、第１基台１２および第２基台１３によって上下左右に区分けされている。これらの区分けされたスペースによって、複数の光源設置スペース１６が設けられている。
【００１８】
各光源設置スペース１６は、図２中の後面が第１基台１２によって塞がれ、上下左右の４面が第２基台１３によって塞がれ、前面が開放されている。各光源設置スペース１６の後面には、第１白色ＬＥＤ１１が設けられている。これらの第１白色ＬＥＤ１１における照射光の光軸は、各光源設置スペース１６における後面とほぼ直角、かつ上下左右の面と平行であり、第１白色ＬＥＤ１１における照射光は光源設置スペース１６における開放された前面から外部に放射される。
【００１９】
各光源設置スペース１６の上下左右の４面には、第２白色ＬＥＤ１４が設けられている。これらの第２白色ＬＥＤ１４の照射光における光軸は、第１白色ＬＥＤ１１の照射光における光軸と交差している。本実施形態では、第２白色ＬＥＤ１４の照射光における光軸は、第１白色ＬＥＤ１１の照射光における光軸と直交している。したがって、第２白色ＬＥＤ１４の照射光は、主として光源設置スペース１６内に放射され、その一部が光源設置スペース１６の開放された前面から外部に放射される。
【００２０】
なお、第２白色ＬＥＤ１４の照射光における光軸は、第１白色ＬＥＤ１１の照射光における光軸と交差すればよく、かならずしも直交させなくてもよい。
【００２１】
次に、上記各構成要素について説明する。第１白色ＬＥＤ１１、および第２白色ＬＥＤ１４は、青色ＬＥＤと、ＹＡＧ螢光体等の青色光を黄色光に変換する螢光体層とを有し、青色光と黄色光とによって白色光が実現されるものを例示できる。
【００２２】
第１基台１２、および第２基台１３は、エポキシ樹脂を使用したプリント配線基板等を例示できる。第１基台１２は、筐体１５における後面全体に配設され、第２基台１３は、第１基台１２に対して格子状に突設されている。
【００２３】
筐体１５は、第１白色ＬＥＤ１１や第２白色ＬＥＤ１４等の内装部品、および外装部品を取付けるための箱体であり、耐熱性が要求されるので、アルミニウム、スチール、マグネシウム等の金属によって形成するのが望ましい。
【００２４】
次に、この照明器具１０における作用を説明する。図３に示すように、第１基台１２に取り付けた第１白色ＬＥＤ１１における照射光の光軸と、第２基台１３に取り付けた第２白色ＬＥＤ１４における照射光の光軸とは、直交している。このため、第１基台１２に取り付けた第１白色ＬＥＤ１１の照射光の色と、第２基台１３に取り付けた第２白色ＬＥＤ１４の照射光の色とが混色される。
【００２５】
これにより、各照射光における青味、および黄色味が軽減され、白色となる。これは、第１白色ＬＥＤ１１における照射光の光軸方向に照射される光、光軸に対して４５度の方向に照射される光、光軸に対して直交する方向に照射される光、およびそれ以外の方向に照射される光も、全て同様である。
【００２６】
したがって、第１白色ＬＥＤ１１の照射光における光軸を、例えば床面１７と直交するようにして、床面１７および壁面１８を照射した場合、壁面１８および床面１７の照射光を白色にできる。これにより、従来のように、壁面１８における照射光が黄色味のある白色となり、床面１７における照射光が青味のある白色となるのを抑制し、照射方向により色むらが発生するのを抑制でき、利用者に違和感を与えるのを抑制できる。
【００２７】
また、第１白色ＬＥＤ１１、および第２白色ＬＥＤ１４が、それぞれ複数設けられているので、照明範囲を広くできる。
【００２８】
（第２実施形態）
図４は、第２実施形態の照明器具２０を示す。なお、以下の説明においては、第１実施形態と同一の部分には、同一の符号を付けて詳細な説明を省略する。
この照明器具２０は、第２基台１３が、三角形以上の多角柱状に形成されている。本実施形態では、第２基台１３が六角柱状に形成されている。第２基台１３における六角柱の各外側面には、それぞれ第２白色ＬＥＤ１４が設けられている。
【００２９】
第１白色ＬＥＤ１１は、第１基台１２上に間隔をあけて複数設けられている。各第１白色ＬＥＤ１１には、少なくとも１個の第２白色ＬＥＤ１４が対向している。第１白色ＬＥＤ１１の照射光における光軸と、第２白色ＬＥＤ１４における照射光の光軸とは、交差、本実施形態では直交している。
【００３０】
この照明器具２０においては、第１白色ＬＥＤ１１の照明光が、第２基台１２によって遮られるのを抑制できることにより、照明効率が低下するのを軽減できる。
【００３１】
（第３実施形態）
図５は、第３実施形態の照明器具３０を示す。この照明器具３０は、第１基台１２に、複数の四角柱状の第２基台１３が、縦横に隣接して設けられている。
【００３２】
各第２基台１３は、図６に示すように、内側面間の幅が、第１基台１２から第１白色ＬＥＤ１１における照射光の光軸方向に向かって徐々に大となる四角柱状に形成されている。第２基台１３の四角柱における各内側面には、それぞれ第２白色ＬＥＤ１４が設けられている。第２基台１３の四角柱における内側の天面を形成する第１基台１２には、第１白色ＬＥＤ１１が設けられている。
【００３３】
この照明器具３０は、器具配光を挾角にできることにより、ベースライトの挾角配光のニーズに応えることが可能である。
【符号の説明】
【００３４】
１０、２０、３０  照明器具
１１  第１白色ＬＥＤ（光源）
１２  第１基台
１３  第２基台
１４  第２白色ＬＥＤ（光源）
１５  筐体
１６  光源設置スペース
１７  床面
１８  壁面
【図１】
2012150917.tif 000003
【図２】
2012150917.tif 000004
【図３】
2012150917.tif 000005
【図４】
2012150917.tif 000006
【図５】
2012150917.tif 000007
【図６】
2012150917.tif 000008
【図７】
2012150917.tif 000009
【図８】
2012150917.tif 000010